(57)【要約】【課題】本願の目的は、かかる課題を解決し、エレベータかごの内部の画像をリアルタイムで監視し、エレベータかご内での犯罪を防止するエレベータ防犯システムを提供する。【解決手段】エレベータかご内の防犯カメラ２が撮影した画像を情報センタ５に送信するかご内画像送信手段４と、エレベータ乗場１２に設けられ、２次元コードを表示する２次元コード表示部３と、その２次元コードを読み取った携帯電話から情報センタ５に送信された空メールを受信する情報センタ送受信部６と、第１携帯電話１０と第２携帯電話１１とを対として記憶する情報センタ記憶部７と、空メールを発信した携帯電話が登録された第２携帯電話１１である場合には、情報センタ送受信部６に対して、一定時間の間エレベータのかご内画像を対となる第１携帯電話１０に送信させる情報センタ制御部８とを備える。【選択図】図１
2009051649.tif 000002
【特許請求の範囲】
【請求項１】
建物に設置されたエレベータのエレベータかご内部の天井に設けられ、かご内を撮影するかご内撮影手段と、
かご内撮影手段が撮影した画像を情報センタに送信するかご内画像送信手段と、
エレベータ乗場に設けられ、情報センタの電子メールアドレスとそのエレベータの識別情報とが書き込まれた２次元コードを表示する２次元コード表示部と、
かご内画像送信手段から送信された画像と、２次元コード表示部の２次元コードを読み取った携帯電話から情報センタに送信された空メールと、を受信する情報センタ送受信部と、
建物の利用者により予め登録された、第１の携帯電話及び第２の携帯電話の識別情報を対として記憶する情報センタ記憶部と、
情報センタ送受信部が受信した空メールを送信した携帯電話の識別情報を情報センタ記憶部に記憶されている第２の携帯電話の識別情報から検索し、エレベータ制御部にエレベータの動作を指示する情報センタ制御部と、
情報センタ制御部の指示に従ってエレベータを動作させるエレベータ制御部と、を備え、
情報センタ制御部は、空メールを発信した携帯電話が情報センタ記憶部に記憶されている第２の携帯電話である場合には、情報センタ送受信部に対して、一定時間の間エレベータのかご内画像を対となる第１の携帯電話に送信させることを特徴とするエレベータ防犯システム。
【請求項２】
請求項１に記載のエレベータ防犯システムであって、２次元コードには、その２次元コードが設けられた階が書き込まれ、情報センタ制御部は、２次元コードを読み取った携帯電話から発信された空メールに含まれる階にエレベータかごの乗場階の呼び登録がされたと判断してエレベータ制御部にエレベータの動作を指示することを特徴とするエレベータ防犯システム。
【請求項３】
請求項１に記載のエレベータ防犯システムであって、２次元コードには、その２次元コードが設置された階が書き込まれ、情報センタ制御部は、２次元コードを読み取った携帯電話から発信された空メールを受信した時点から一定時間内にその階のエレベータ乗場の乗場階の呼び登録がされた場合に、空メールによりエレベータかごの乗場階の呼び登録がされたと判断してエレベータ制御部にエレベータの動作を指示することを特徴とするエレベータ防犯システム。
【請求項４】
請求項２又は３に記載のエレベータ防犯システムであって、情報センタ制御部は、第２の携帯電話から発信される空メールに新たに入力された数字を呼び登録された降車階と判断し、エレベータ制御部にエレベータの動作を指示することを特徴とするエレベータ防犯システム。
【請求項５】
請求項４に記載のエレベータ防犯システムであって、情報センタ制御部は、エレベータ扉が乗場階の呼び登録された階で扉開となった時点からエレベータが呼び登録された降車階で扉閉となった時点までの間、情報センタ送受信部にかご内画像を第１の携帯電話に送信させることを特徴とするエレベータ防犯システム。
【請求項６】
請求項２又は３に記載のエレベータ防犯システムであって、情報センタ制御部は、第２の携帯電話から発信される空メールに新たに入力された数字と、エレベータが乗場階の呼び登録された階で扉開となった時点から一定時間内にエレベータかご内で押された操作盤のかご呼び釦の数字が一致している場合に、その数字を呼び登録された降車階と判断し、エレベータ制御部にエレベータの動作を指示することを特徴とするエレベータ防犯システム。
【請求項７】
請求項６に記載のエレベータ防犯システムであって、情報センタ制御部は、エレベータかご内で押された操作盤のかご呼び釦の数字から呼び登録された降車階を判断した時点からエレベータが呼び登録された降車階で扉閉となった時点までの間、情報センタ送受信部にかご内画像を第１の携帯電話に送信させることを特徴とするエレベータ防犯システム。
【請求項８】
請求項１乃至７のいずれか１に記載のエレベータ防犯システムであって、第１の携帯電話及び第２の携帯電話の識別情報は、それらの携帯電話の電子メールアドレスであることを特徴とするエレベータ防犯システム。
【発明の詳細な説明】
【技術分野】
【０００１】
本発明は、エレベータ防犯システムに係り、特に、エレベータ内部のかご内画像によりエレベータかごの内部の状況を監視して防犯するエレベータ防犯システムに関する。
【背景技術】
【０００２】
オフィスビルやマンションなどに設置されたエレベータは、エレベータ扉が扉閉となった時点から扉開となる時点までは密室となる。従って、盗難、強盗、痴漢、セクシャル・ハラスメントなどの温床となりやすい。特に、エレベータの乗客が少なくなる夜間において、女性や子供が１人でエレベータに乗る場合には犯罪が発生し易い。
【０００３】
エレベータかごの内部の防犯対策として、エレベータかご内部の天井には防犯カメラが設置されている。この防犯カメラは、終日（２４時間）エレベータかごの内部を撮影する。そして、撮影された画像はハードディスクに保存されて情報センタ（中央監視センタ）に送信される。しかし、情報センタの監視員が膨大な数のエレベータについてそれらの映像をリアルタイムで監視することは不可能である。現実には、エレベータかご内で発生した犯罪が報告された場合に、そのエレベータのその時刻の画像を再生してその犯罪を検証する手段として用いられるに過ぎない。
【０００４】
また、エレベータかご内に防犯カメラを設置することは、犯罪者に対してエレベータかご内の監視をしているという抑止力が発生し、これにより犯罪を未然に防ぐという効果がある。しかし、夜間に泥酔者などが理性を失った状態で行う犯罪行為などには効果があるとはいえない。
【０００５】
一旦、エレベータかごの内部で犯罪が発生した場合には、そのエレベータの保守員は、保管された膨大な画像の中からそのエレベータのその時刻の画像を探し出して警察に提出して再生しなければならず手間のかかる作業となる。
【０００６】
一方、特許文献１には、公衆回線を用いてエレベータかご内の監視カメラや乗り場の監視カメラの映像を、エレベータ監視情報管理センタへ送信すると、センタはそれらの映像を監視者の携帯電話へ送信し、そのディスプレイに表示することが開示されている。
【０００７】
【特許文献１】特開２００５−２０６３０９号公報
【発明の開示】
【発明が解決しようとする課題】
【０００８】
オフィスビルにおいて、例えば、女子社員が一人で地下の倉庫階に行く際、或いは深夜に一人で退社する際などにエレベータを使用する場合には、上述した犯罪に巻き込まれる虞がある。また、マンションにおいて、子供が夜間に塾から一人で帰宅する際、或いは女性が深夜に一人で帰宅する際などにエレベータを使用する場合には、上述した犯罪に巻き込まれる虞がある。
【０００９】
一般にエレベータには、防犯カメラが設置されているが、上述したように情報センタの監視員がエレベータかごの内部をリアルタイムで監視しているわけではない。従って、犯罪が発生した場合に警察などへの通報が迅速に行われることは期待できない。
【００１０】
また、防犯カメラは、上述したように犯罪が発生した場合に警察などへ提出される証拠とはなるが、犯罪者をその場で捕まえることは難しい。
【００１１】
本願の目的は、かかる課題を解決し、エレベータかごの内部の画像をリアルタイムで監視し、エレベータかご内での犯罪を防止するエレベータ防犯システムを提供することである。
【課題を解決するための手段】
【００１２】
上記目的を達成するため、本発明に係るエレベータ防犯システムは、建物に設置されたエレベータのエレベータかご内部の天井に設けられ、かご内を撮影するかご内撮影手段と、かご内撮影手段が撮影した画像を情報センタに送信するかご内画像送信手段と、エレベータ乗場に設けられ、情報センタの電子メールアドレスとそのエレベータの識別情報とが書き込まれた２次元コードを表示する２次元コード表示部と、かご内画像送信手段から送信された画像と、２次元コード表示部の２次元コードを読み取った携帯電話から情報センタに送信された空メールと、を受信する情報センタ送受信部と、建物の利用者により予め登録された、第１の携帯電話及び第２の携帯電話の識別情報を対として記憶する情報センタ記憶部と、情報センタ送受信部が受信した空メールを送信した携帯電話の識別情報を情報センタ記憶部に記憶されている第２の携帯電話の識別情報から検索し、エレベータ制御部にエレベータの動作を指示する情報センタ制御部と、情報センタ制御部の指示に従ってエレベータを動作させるエレベータ制御部と、を備え、情報センタ制御部は、空メールを発信した携帯電話が情報センタ記憶部に記憶されている第２の携帯電話である場合には、情報センタ送受信部に対して、一定時間の間エレベータのかご内画像を対となる第１の携帯電話に送信させる。
【００１３】
また、エレベータ防犯システムは、２次元コードには、その２次元コードが設けられた階が書き込まれ、情報センタ制御部が、２次元コードを読み取った携帯電話から発信された空メールに含まれる階にエレベータかごの乗場階の呼び登録がされたと判断してエレベータ制御部にエレベータの動作を指示することが好ましい。
【００１４】
また、エレベータ防犯システムは、２次元コードには、その２次元コードが設置された階が書き込まれ、情報センタ制御部が、２次元コードを読み取った携帯電話から発信された空メールを受信した時点から一定時間内にその階のエレベータ乗場の乗場階の呼び登録がされた場合に、空メールによりエレベータかごの乗場階の呼び登録がされたと判断してエレベータ制御部にエレベータの動作を指示することが好ましい。
【００１５】
また、エレベータ防犯システムは、情報センタ制御部が、第２の携帯電話から発信される空メールに新たに入力された数字を呼び登録された降車階と判断し、エレベータ制御部にエレベータの動作を指示することが好ましい。
【００１６】
また、エレベータ防犯システムは、情報センタ制御部が、エレベータ扉が乗場階の呼び登録された階で扉開となった時点からエレベータが呼び登録された降車階で扉閉となった時点までの間、情報センタ送受信部にかご内画像を第１の携帯電話に送信させることが好ましい。
【００１７】
また、エレベータ防犯システムは、情報センタ制御部が、第２の携帯電話から発信される空メールに新たに入力された数字と、エレベータが乗場階の呼び登録された階で扉開となった時点から一定時間内にエレベータかご内で押された操作盤のかご呼び釦の数字が一致している場合に、その数字を呼び登録された降車階と判断し、エレベータ制御部にエレベータの動作を指示することが好ましい。
【００１８】
また、エレベータ防犯システムは、情報センタ制御部が、エレベータかご内で押された操作盤のかご呼び釦の数字から呼び登録された降車階を判断した時点からエレベータが呼び登録された降車階で扉閉となった時点までの間、情報センタ送受信部にかご内画像を第１の携帯電話に送信させることが好ましい。
【００１９】
さらに、エレベータ防犯システムは、第１の携帯電話及び第２の携帯電話の識別情報が、それらの携帯電話の電子メールアドレスであることが好ましい。
【発明の効果】
【００２０】
上記構成により、エレベータ防犯システムは、まず、建物の利用者が第１の携帯電話と第２の携帯電話とをそれぞれ特定する情報を予め対として情報センタに登録しておく。そして、利用者はエレベータに乗車する際に、第１の携帯電話によりエレベータ乗場に設けられた２次元コード表示部の２次元コードを読み取り、その第１の携帯電話から情報センタに空メールを送信する。この空メールを受信した情報センタ制御部は、一定時間の間エレベータのかご内画像を対となる第２の携帯電話に送信させる。これにより、利用者は、エレベータに乗車している間、かご内のかご内撮影手段が撮影した画像を、例えば、会社の職員、親といった関係者に監視してもらいながらエレベータに乗車することができる。
【００２１】
このことで、建物の利用者がエレベータかご内で犯罪に遭遇した場合に、警察などへの通報を迅速に行うことでき、犯罪者をその場で捕まえることができる。
【００２２】
以上のように、本発明に係るエレベータ防犯システムによれば、エレベータかごの内部の画像をリアルタイムで監視し、エレベータかご内での犯罪を防止することが可能となる。
【発明を実施するための最良の形態】
【００２３】
以下に、図面を用いて本発明に係るエレベータ防犯システムの実施の形態につき、詳細に説明する。
【００２４】
図１に、エレベータ防犯システムの１つの実施形態の概略構成を示す。エレベータ防犯システム１は、建物１３に設置されたエレベータ１４のエレベータかご２０内に設けられるかご内撮影手段２及びかご内画像送信手段４と、エレベータ乗場１２に設けられる２次元コード表示部３と、情報センタ５内に設けられる情報センタ送受信部６、情報センタ記憶部７及び情報センタ制御部８と、エレベータ昇降路２１の上部に設けられるエレベータ制御部９と、から構成される。建物１３の第１利用者２２は第１携帯電話１０を所持し、第２利用者２３は第２携帯電話１１を所持している。
【００２５】
かご内撮影手段である防犯カメラ２は、エレベータかご２０内部の天井に設けられ、エレベータかご２０内を撮影する。この防犯カメラ２は、終日（２４時間）エレベータかご内を撮影する。撮影された画像は、かご内画像送信手段４により公衆通信回線３０を介して情報センタ５の情報センタ送受信部６に送信される。
【００２６】
図２に、エレベータ乗場１２の乗場操作盤１６の一つの例を示す。一般的には乗場操作盤１６には、乗場階の呼び登録を行う乗場呼び釦１７及びエレベータかご位置表示部１８が設けられる。２次元コード表示部３は、乗場操作盤１６の任意の位置に設置される。２次元コード表示部３は、乗客が携帯電話で読み取れるものであれば、２次元コード１９が印刷されたシールを貼り付けたものであっても良く、２次元コード１９が印刷された板を乗場操作盤１６に固定したものであっても良い。この２次元コード１９には、情報センタ５の電子メールアドレスとエレベータ１４の識別情報とが書き込まれる。
【００２７】
情報センタ５は、エレベータ１４の乗客に対する安全性、エレベータ１４の運行の正常性などを常に確保するために、広域の遠隔監視サービスを行うものであり中央監視センタとも呼ばれる。この情報センタ５は、情報センタ送受信部６、情報センタ記憶部７、及び情報センタ制御部８から構成される。情報センタ送受信部６は、かご内画像送信手段４から送信された画像を受信し、２次元コード表示部３の２次元コード１９を読み取った携帯電話から情報センタ５に送信された空メールを受信する。情報センタ記憶部７は、建物１３の利用者により予め登録された、第１携帯電話１０及び第２携帯電話１１の識別情報である電子メールアドレスを対として記憶する。情報センタ制御部８は、情報センタ送受信部６が受信した空メールを送信した携帯電話の電子メールアドレスを情報センタ記憶部７に記憶されている第１携帯電話１０の電子メールアドレスのリストから検索する。そして、そのエレベータ１４のエレベータ制御部９に対してエレベータ１４の動作を指示する。
【００２８】
エレベータ制御部９は、エレベータ昇降路２１の上部に設置され、情報センタ制御部８から発信された指示に従ってエレベータ１４の開閉や移動などの動作を制御する。
【００２９】
次に、このエレベータ防犯システム１の動作を説明する。ここで、建物１３の利用者である第１利用者２２及び第２利用者２３は、予め情報センタ５にそれぞれの携帯電話１０及び１１を登録する。ここで、第１利用者２２とは、第２利用者２３がエレベータ１４を利用する間かご内の画像により第２利用者２３の監視をする者をいう。この第１利用者２２及び第２利用者２３とは、例えば、オフィスビルの管理者と社員（特に女子社員）、マンションの親とその子供、親とその娘、看護者とその被看護者、所帯主とその親である老人といった関係である。
【００３０】
図３に、エレベータ防犯システム１の動作を説明図により示す。第２利用者２３は、例えば、建物１３の出入階３７のエレベータ乗場１２に到着すると、第２携帯電話１１を用いて乗場操作盤１６に設置された２次元コード表示部３の２次元コード１９を読み取る。この２次元コード１９には、図３に示すように、情報センタ５の電子メールアドレス２４、エレベータ識別情報２５、及び２次元コード設置階情報２６が書き込まれている。第２利用者２３は、２次元コード１９を読み取った第２携帯電話１１から、公衆通信回線３０を介して情報センタ５に対して空メール２７を送信する。この空メール２７には、自動的にエレベータ識別情報２５及び２次元コード設置階情報２６が含まれる。また、第２利用者２３は、エレベータ１４の降車階を呼び登録情報２９として伝達するため、空メール２７に降車階の数字を入力する。この数字も空メール２７により情報センタ５に送信される。
【００３１】
また、防犯カメラ２は、エレベータかご２０内の画像を撮影してかご内画像３３とし、公衆通信回線３０を介して情報センタ５の情報センタ送受信部６に伝送する。
【００３２】
第２利用者２３から発信された空メール２７は、情報センタ送受信部６により受信される。情報センタ制御部８は、空メール２７を発信した携帯電話の識別情報である電子メールアドレス２８について、情報センタ記憶部７に記憶されている第２携帯電話１１の電子メールアドレス２８を検索する。そして、情報センタ制御部８は、空メール２７を発信した携帯電話の電子メールアドレス２８が、情報センタ記憶部７に記憶されている第２携帯電話１１の電子メールアドレス２８である場合には、情報センタ送受信部６に対して、一定時間の間エレベータかご２０のかご内画像３３を電子メール３４に添付して対となる第１携帯電話１０に送信させる。第１利用者２２は、この第１携帯電話１０が受信した電子メール３４によりエレベータ１４のかご内画像３３を確認する。そして、情報センタ制御部８は、エレベータ扉１５が呼び登録された乗車階で扉開となった時点からエレベータ１４が呼び登録された降車階で扉閉となった時点までの間、情報センタ送受信部６にかご内画像３３を第１携帯電話１０に送信させる。
【００３３】
これにより、第２利用者２３は、エレベータ１４に乗車している間、エレベータかご２０内の防犯カメラ２が撮影したエレベータかご２０内の画像を、例えば、会社の管理者、親などの第１利用者２２にリアルタイムに監視してもらいながらエレベータ１４に乗車することができる。また、第２利用者２３がエレベータかご２０内で犯罪に巻き込まれた場合には、第１利用者２２により警察に通報することができ、或いは降車階のエレベータ乗場１２に待機して犯人を捕らえることもできる。さらに、この乗車している間のかご内画像３３は、犯行の証拠画像として容易に再生することができる。
【００３４】
ここで、情報センタ制御部８は、空メール２７に含まれるエレベータ識別情報２５から、そのエレベータ１４を特定することができる。そして、空メール２７に含まれる２次元コード設置階情報２６から判断される乗車階情報３１と、空メール２７に入力された呼び登録情報２９の数字から判断される降車階情報３２とを、公衆通信回線３０を介してエレベータ制御部９に送信する。エレベータ制御部９は、この指令に基づいてエレベータかご２０を動作させる。
【００３５】
このように、第２利用者２３は、エレベータ乗場１２の乗場呼び釦１７を押すことなくエレベータかご２０の乗場階の呼び登録を行うことができ、第２携帯電話１１から発信する空メール２７に数字を入力することで降車階の呼び登録をすることができる。このように、第２利用者２３は、２次元コード表示部３から第２携帯電話１１により２次元コード１９を読み取り第２携帯電話１１にそのデータを記憶しておけば、毎回２次元コード表示部３からの読込みを行う必要はない。このため、エレベータ１４に乗車しないときであっても情報センタ５に空メール２７を送信すれば、他人がエレベータかご２０内に乗車している様子を第１携帯電話１０により監視でき、このエレベータ防犯システム１が悪用される弊害が発生する虞がある。
【００３６】
図４に、エレベータ防犯システム１を遠隔から操作して悪用する弊害を防止する第１の手段を示す。図４はエレベータ乗り場１２を示す。情報センタ制御部８は、第２利用者２３が、２次元コード１９を読み取った第２携帯電話１１から発信された空メール２７を受信した場合、その受信した時点から一定時間内にその階のエレベータ乗場１２の乗場呼び釦１７が押され乗場階の呼び登録がされた場合に、空メール２７によりエレベータかご２０の乗場階の呼び登録がされたと判断し、エレベータ制御部９にエレベータかご２０を動作させる指示を行う。また、情報センタ制御部８は、乗場呼び釦１７に上方と下方の２つの呼び釦１７がある場合には、第２利用者２３が第２携帯電話１１に入力した降車階の方向と一致しているか否かについても確認する。
【００３７】
この条件を付加することで、第２利用者２３は、情報センタ５への空メール２７を、乗場呼び釦１７を押すことができるエレベータ乗場１２において送信しなければエレベータ１４の乗場階の呼び登録をしたことにならない。
【００３８】
また、図５に、エレベータ防犯システム１を遠隔から操作して悪用する弊害を防止する第２の手段を示す。図５はエレベータかご２０の内部を示す。情報センタ制御部８は、第２利用者２３の第２携帯電話１１から発信される空メール２７に新たに入力された呼び登録情報２９の数字と、エレベータ１４が呼び登録された乗車階でエレベータ扉１５が扉開となった時点から一定時間内にエレベータかご２０内で押されたかご操作盤３５のかご呼び釦３６の数字と、が一致している場合に、その数字を呼び登録された降車階と判断し、エレベータ制御部９にエレベータ１４を動作させる指示を行う。
【００３９】
この条件を付加することで、第２利用者２３は、エレベータかご２０内に乗車し、送信した空メール２７に入力した数字と同じ階のかご呼び釦３６を押さなければエレベータ１４の降車階の呼び登録をしたことにならない。
【００４０】
この場合には、情報センタ制御部８は、エレベータかご２０内で押されたかご操作盤３５のかご呼び釦３６の数字から呼び登録された降車階を判断した時点から、エレベータ１４が呼び登録された降車階で扉閉となった時点までの間、情報センタ送受信部６にかご内画像３３を第１携帯電話１０に送信させる。
【図面の簡単な説明】
【００４１】
【図１】本発明に係るエレベータ防犯システムの１つの実施形態の概略構成を示すブロック図である。
【図２】エレベータ乗場の乗場操作盤の一つの例を示す説明図である。
【図３】エレベータ防犯システムの動作を示す説明図である。
【図４】エレベータ防犯システムを遠隔から操作して悪用する弊害を防止する第１の手段を示す説明図である。
【図５】エレベータ防犯システムを遠隔から操作して悪用する弊害を防止する第２の手段を示す説明図である。
【符号の説明】
【００４２】
１  エレベータ防犯システム、２  かご内撮影手段（防犯カメラ）、３  ２次元コード表示部、４  かご内画像送信手段、５  情報センタ、６  情報センタ送受信部、７  情報センタ記憶部、８  情報センタ制御部、９  エレベータ制御部、１０  第１携帯電話、１１  第２携帯電話、１２  エレベータ乗場、１３  建物、１４  エレベータ、１５  エレベータ扉、１６  乗場操作盤、１７  乗場呼び釦、１８  エレベータかご位置表示部、１９  ２次元コード、２０  エレベータかご、２１  エレベータ昇降路、２２  第１利用者、２３  第２利用者、２４  情報センタの電子メールアドレス、２５  エレベータ識別情報、２６  ２次元コード設置階情報、２７  空メール、２８  空メールの電子メールアドレス、２９  呼び登録情報、３０  公衆通信回線、３１  乗車階情報、３２  降車階情報３３  かご内画像、３４  電子メール、３５  かご操作盤、３６  かご呼び釦、３７  出入階。
【図１】
2009051649.tif 000003
【図２】
2009051649.tif 000004
【図３】
2009051649.tif 000005
【図４】
2009051649.tif 000006
【図５】
2009051649.tif 000007